(57)【特許請求の範囲】
【請求項１】
円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、
前記第２ラベル部を前記第１ラベル部へ貼り付けかつ前記巻き付け部を前記被着体に貼り付けた使用時外観イメージを前記表示手段に表示する、表示手順と、
前記使用時外観イメージが表示された状態で、前記第１印字オブジェクト及び前記第２印字オブジェクトのうち少なくとも一方についての前記操作手段を介した編集操作を受け付ける、編集受付手順と、
前記編集受付手順で受け付けた編集操作結果を、前記使用時外観イメージに反映させる、編集反映手順と、
を実行させるとともに、
前記表示手順では、
前記第１印字オブジェクトを印刷後の前記第１印刷面の外観イメージを正対表示する第１表示領域、前記第２印字オブジェクトを印刷後の前記第２印刷面の外観イメージを正対表示する第２表示領域、及び、前記使用時外観イメージを表示する第３表示領域、を前記表示手段に表示し、
前記編集受付手順では、
前記第１表示領域、前記第２表示領域、前記第３表示領域が表示された状態で前記編集操作を受け付け、
前記編集反映手順では、
前記編集受付手順で受け付けた編集操作結果を、前記表示手順で表示した前記第１表示領域、前記第２表示領域、前記第３表示領域での表示内容に反映させる
ことを特徴とする巻き付けラベル作成処理プログラム。
【請求項２】
請求項１記載の巻き付けラベル作成処理プログラムにおいて、
前記編集反映手順において、前記編集受付手順で受け付けた前記第１印字オブジェクトについての編集操作結果を前記第２表示領域に表示される前記第２印字オブジェクトに反映させるとともに、前記編集受付手順で受け付けた前記第２印字オブジェクトについての編集操作結果を前記第１表示領域に表示される前記第１印字オブジェクトに反映させる、相互リンクモードを備えている
ことを特徴とする、巻き付けラベル作成処理プログラム。
【請求項３】
請求項１又は請求項２記載の巻き付けラベル作成処理プログラムにおいて、
前記演算手段に対し、さらに、
前記第３表示領域が表示された状態で、当該第３表示領域中の前記被着体の径寸法を変更する操作を受け付ける、変更操作受付手順と、
前記変更操作受付手順で受け付けた操作結果を、前記第３表示領域で表示されている使用時外観イメージに反映させる、変更反映手順と、
を実行させることを特徴とする巻き付けラベル作成処理プログラム。
【請求項４】
請求項３記載の巻き付けラベル作成処理プログラムにおいて、
前記変更反映手順では、
前記変更操作受付手順で種々変更される径寸法にそれぞれ対応する複数種類の被着体を、前記使用時外観イメージに付随させて前記第３表示領域内に表示する
ことを特徴とする巻き付けラベル作成処理プログラム。
【請求項５】
円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、
前記第２ラベル部を前記第１ラベル部へ貼り付けかつ前記巻き付け部を前記被着体に貼り付けた使用時外観イメージを前記表示手段に表示する、表示手順と、
前記使用時外観イメージが表示された状態で、前記第１印字オブジェクト及び前記第２印字オブジェクトのうち少なくとも一方についての前記操作手段を介した編集操作を受け付ける、編集受付手順と、
前記編集受付手順で受け付けた編集操作結果を、前記使用時外観イメージに反映させる、編集反映手順と、
を実行させるとともに、
前記表示手順では、
前記第１ラベル部が正対する態様の第１使用時外観イメージの静止画像と、前記第２ラベル部が正対する態様の第２使用時外観イメージの静止画像と、を一覧表示する
ことを特徴とする巻き付けラベル作成処理プログラム。
【請求項６】
円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、
前記第２ラベル部を前記第１ラベル部へ貼り付けかつ前記巻き付け部を前記被着体に貼り付けた使用時外観イメージを前記表示手段に表示する、表示手順と、
前記使用時外観イメージが表示された状態で、前記第１印字オブジェクト及び前記第２印字オブジェクトのうち少なくとも一方についての前記操作手段を介した編集操作を受け付ける、編集受付手順と、
前記編集受付手順で受け付けた編集操作結果を、前記使用時外観イメージに反映させる、編集反映手順と、
を実行させるとともに、
前記表示手順では、
前記第１ラベル部が正対する態様の第１使用時外観イメージの静止画像と、前記第２ラベル部が正対する態様の第２使用時外観イメージの静止画像と、を略同一部位において周期的に切り替え表示する
ことを特徴とする巻き付けラベル作成処理プログラム。
【請求項７】
円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、
前記第２ラベル部を前記第１ラベル部へ貼り付けかつ前記巻き付け部を前記被着体に貼り付けた使用時外観イメージを前記表示手段に表示する、表示手順と、
前記使用時外観イメージが表示された状態で、前記第１印字オブジェクト及び前記第２印字オブジェクトのうち少なくとも一方についての前記操作手段を介した編集操作を受け付ける、編集受付手順と、
前記編集受付手順で受け付けた編集操作結果を、前記使用時外観イメージに反映させる、編集反映手順と、
を実行させるとともに、
前記表示手順では、
前記第１ラベル部が上・下順向きで正対する態様の第１使用時外観イメージとなる第１回転位置と、前記第２ラベル部が上・下順向き又は上・下逆向きで正対する態様の第２使用時外観イメージとなる第２回転位置と、を含み、前記被着体の軸心を回転中心として前記巻き付けラベルが回転可能な、３次元的なアニメーション表示を行う
ことを特徴とする巻き付けラベル作成処理プログラム。
【請求項８】
請求項７記載の巻き付けラベル作成処理プログラムにおいて、
前記編集受付手順では、
前記第１印字オブジェクトについての前記編集操作を受け付けているときには、前記第１回転位置近傍で略回転停止した態様の前記アニメーション表示が行われる
ことを特徴とする巻き付けラベル作成処理プログラム。
【請求項９】
請求項７又は請求項８記載の巻き付けラベル作成処理プログラムにおいて、
前記編集受付手順では、
前記第２印字オブジェクトについての前記編集操作を受け付けているときには、前記第２回転位置近傍で略回転停止した態様の前記アニメーション表示が行われる
ことを特徴とする巻き付けラベル作成処理プログラム。
【請求項１０】
請求項８又は請求項９の巻き付けラベル作成処理プログラムにおいて、
前記編集反映手順では、
前記編集受付手順での編集操作に基づき前記第１印字オブジェクト及び前記第２印字オブジェクトが確定したら、前記略回転停止状態が解除され、回転する前記巻き付けラベルの前記アニメーション表示を行う
ことを特徴とする巻き付けラベル作成処理プログラム。
【請求項１１】
請求項１乃至請求項４のいずれか１項記載の巻き付けラベル作成処理プログラムにおいて、
前記表示手順では、さらに、
前記第１印字オブジェクトが前記第１印刷面に印刷された前記第１ラベル部と、前記第２印字オブジェクトが前記第２印刷面に印刷された前記第２ラベル部と、前記巻き付け部とを、前記巻き付けや前記貼り付けが行われる前の未使用展開状態で表示する第４表示領域を、前記表示手段に表示し、
前記編集受付手順では、
前記第１表示領域、前記第２表示領域、前記第３表示領域、前記第４表示領域が表示された状態で、前記第１印字オブジェクト及び前記第２印字オブジェクトのうち少なくとも一方についての前記操作手段を介した編集操作を受け付け、
前記編集反映手順では、
前記編集受付手順で受け付けた編集操作結果を、前記表示手順で表示した前記第１表示領域、前記第２表示領域、前記第３表示領域、前記第４表示領域での表示内容に反映させる
ことを特徴とする巻き付けラベル作成処理プログラム。
【発明の詳細な説明】
【技術分野】
【０００１】
本発明は、被着体の外周部に巻き付ける巻き付けラベルを作成するための、巻き付けラベルの作成処理プログラムに関する。
【背景技術】
【０００２】
被着体の外周部に巻き付けて貼り付ける、巻き付けラベルが知られている（例えば、特許文献１参照）。この巻き付けラベル（貼り合わせタグ）は、被着体（商品）に巻き付けられる巻き付け部（取り付け部）と、所望の印字オブジェクト（例えば定価・品名等）が印刷されて表示されるラベル部（表示部）とを備えている。この巻き付けラベルの使用時には、上記巻き付け部を被着体の外周部に巻き付けて貼り付けるとともに、ラベル部の一方側半分を他方側へと折り返し（裏面どうしを貼り合わせるようにしつつ）貼り付けて使用される。
【先行技術文献】
【特許文献】
【０００３】
【特許文献１】特開２００３−５８０６２号公報
【発明の概要】
【発明が解決しようとする課題】
【０００４】
上記したように、巻き付けラベルは、平面的に作成されたものを立体的に巻き付けて使用する特殊なラベルであることから、作成時において、作成されるラベルの外観を単に平面的にプレビューするだけでは、ユーザにとって具体的なイメージが湧きにくく、不便である。
【０００５】
本発明の目的は、作成される巻き付けラベルが実際に使用されるときの姿を視覚的に容易に認識でき、利便性を向上できる巻き付けラベルの作成処理プログラムを提供することにある。
【課題を解決するための手段】
【０００６】
上記目的を達成するために、本願発明の巻き付けラベル作成処理プログラムは、円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、前記第２ラベル部を前記第１ラベル部へ貼り付けかつ前記巻き付け部を前記被着体に貼り付けた使用時外観イメージを前記表示手段に表示する、表示手順と、前記使用時外観イメージが表示された状態で、前記第１印字オブジェクト及び前記第２印字オブジェクトのうち少なくとも一方についての前記操作手段を介した編集操作を受け付ける、編集受付手順と、前記編集受付手順で受け付けた編集操作結果を、前記使用時外観イメージに反映させる、編集反映手順と、を実行させる。
【０００７】
上記目的を達成するために、本願発明の巻き付けラベル作成処理プログラムは、円管状又はケーブル状の被着体に巻き付けられる巻き付け部と、第１印字オブジェクトが順方向に印刷された第１印刷面を備えた第１ラベル部と、前記第１ラベル部に連設され、第２印字オブジェクトが前記順方向と上下逆転した逆方向に印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、演算手段、操作手段、表示手段を備えた操作端末の前記演算手段に対し、前記第２ラベル部を前記第１ラベル部へ貼り付けかつ前記巻き付け部を前記被着体に貼り付けた使用時外観イメージを前記表示手段に表示する、表示手順と、前記使用時外観イメージが表示された状態で、前記第１印字オブジェクト及び前記第２印字オブジェクトのうち少なくとも一方についての前記操作手段を介した編集操作を受け付ける、編集受付手順と、前記編集受付手順で受け付けた編集操作結果を、前記使用時外観イメージに反映させる、編集反映手順と、を実行させるとともに、前記表示手順では、前記第１印字オブジェクトを印刷後の前記第１印刷面の外観イメージを正対表示する第１表示領域、前記第２印字オブジェクトを印刷後の前記第２印刷面の外観イメージを正対表示する第２表示領域、及び、前記使用時外観イメージを表示する第３表示領域、を前記表示手段に表示し、前記編集受付手順では、前記第１表示領域、前記第２表示領域、前記第３表示領域が表示された状態で前記編集操作を受け付け、前記編集反映手順では、前記編集受付手順で受け付けた編集操作結果を、前記表示手順で表示した前記第１表示領域、前記第２表示領域、前記第３表示領域での表示内容に反映させる。
【０００８】
そして、使用時外観イメージが表示された状態で、第１印字オブジェクトや第２印字オブジェクトについてユーザが操作手段を用いて編集操作を行うと、その編集操作が編集受付手順で受け付けられる。そして、編集反映手順において、その編集操作結果が使用時外観イメージに反映される。
【０００９】
以上により、ユーザは、第１印字オブジェクト又は第２印字オブジェクトを編集するだけで、その編集に基づき作成される巻き付けラベルが実際に使用されるときの姿を視覚的に容易に認識することができる。この結果、ユーザにとっての利便性を向上することができる。
【発明の効果】
【００１０】
本発明によれば、作成される巻き付けラベルが実際に使用されるときの姿を視覚的に容易に認識でき、利便性を向上できる
【図面の簡単な説明】
【００１１】
【図１】本発明の一実施形態による操作端末及びラベル作成装置の機能的構成を表す機能ブロック図である。
【図２】印字前の被印字テープの外観を表す説明図、及び、印字後の被印字テープの外観を表す説明図、である。
【図３】作成された巻き付けラベルの外観を表す平面図、及び、第２ラベル部を第１ラベル部側へ折り返した後の外観を表す平面図である。
【図４】ケーブルに取り付けられて使用される巻き付けラベルの外観を表す説明図である。
【図５】操作端末の表示部に表示された初期画面を表す説明図である。
【図６】操作端末の表示部に表示された編集画面の一例を表す説明図である。
【図７】操作端末の表示部に表示された編集画面の他の例を表す説明図である。
【図８】操作端末の表示部に表示された、編集終了後の確定表示画面の一例を表す説明図である。
【図９】一部の表示領域が消去された状態を表す説明図である。
【図１０】第１表示領域の表示内容と第２表示領域の表示内容とをリンクさせる挙動を説明する説明図である。
【図１１】第１表示領域の表示内容と第２表示領域の表示内容とがリンクした状態を説明する説明図である。
【図１２】操作端末のＣＰＵが実行する制御手順を表すフローチャートである。
【図１３】ラベル作成装置の制御回路のＣＰＵが実行する制御手順を表すフローチャートである。
【図１４】４画面表示を行う変形例を表す説明図である。
【図１５】使用時外観イメージでのケーブル径の切り替え操作を行う変形例を表す説明図である。
【図１６】Ｔ型ラベルを作成する変形例における、巻き付けラベルの外観を表す平面図、及び、第２ラベル部を第１ラベル部側へ折り返した後の外観を表す平面図である。
【図１７】Ｔ型ラベルを作成する変形例における、ケーブルに取り付けられて使用される巻き付けラベルの外観を表す説明図である。
【図１８】Ｔ型ラベルを作成する変形例において操作端末の表示部に表示された、編集終了後の確定表示画面の一例を表す説明図である。
【発明を実施するための形態】
【００１２】
以下、本発明の一実施形態を図面を参照しつつ説明する。
【００１３】
＜操作端末の機能的構成＞
図１を用いて、本実施形態に係わるラベル作成装置１及び操作端末３００の機能的構成を説明する。
【００１４】
図１において、ラベル作成装置１（巻き付けラベルの作成装置に相当）は、制御回路２と、操作部３と、表示部４と、各種情報を記憶するＲＡＭ５と、搬送ローラ６と、印字ヘッド７と、カットレバー８と、カッタ９と、通信制御部６０と、を有する。
【００１５】
ラベル作成装置１には、被印字テープ１０を巻回したテープロール１０Ａ（本来は渦巻き状であるが簡略化して同心円で図示している）が装着される。被印字テープ１０は、この例では複数の被印字部をテープ搬送方向（長手方向）に沿って設けた、いわゆるダイカットラベルテープである（詳細は後述）。
【００１６】
制御回路２は、図示しないＣＰＵ及びＲＯＭを備えている。制御回路２は、上記ＲＡＭ５の一時記憶機能を利用しつつ、上記ＲＯＭに予め記憶された各種プログラム（後述の図１３のフローを実行する巻き付けラベル作成処理のためのプログラムを含む）を実行するとともに、ラベル作成装置１全体の制御を行う。
【００１７】
搬送ローラ６は、印字ヘッド７に対向して設けられており、テープロール１０Ａから繰り出される被印字テープ１０を印字ヘッド７との間で挟持する。搬送ローラ６は、回転することによって被印字テープ１０をテープロール１０Ａから繰り出しながら搬送する。
【００１８】
印字ヘッド７は、搬送ローラ６によって搬送される被印字テープ１０の各被印字部（詳細は後述）に対し、ユーザ（操作者）が操作入力した文字・図像等の所望の印字オブジェクトを印刷する。
【００１９】
カッタ９は、ユーザによるカットレバー８の操作によって作動し、搬送方向に沿って複数の巻き付けラベル１００が形成された印字後の被印字テープ１０′を切断する。
【００２０】
一方、操作端末３００は例えばパソコンにより構成されており、ＣＰＵ３０３（演算手段に相当）と、例えばＲＡＭやＲＯＭ等からなるメモリ３０４と、操作部３０２（操作手段に相当）と、表示部３０１（表示手段に相当）と、ハードディスク装置等からなり各種情報を記憶する大容量記憶装置３０５と、無線通信を介したラベル作成装置１の上記通信制御部６０との情報送受信の制御を行う通信制御部３０６とを備えている。
【００２１】
ＣＰＵ３０３は、ＲＡＭの一時記憶機能を利用しつつＲＯＭに予め記憶されたプログラムに従って信号処理を行い、それによってラベル作成装置１との間で各種の指示信号・情報信号の送受を行うようになっている。なお、ＲＯＭに記憶された上記プログラムには、後述する図１２のフローの各手順からなる印刷処理方法を実行するための、本実施形態による巻き付けラベル作成処理プログラムが含まれている。
【００２２】
＜被印字テープの外観＞
図２（ａ）及び図２（ｂ）に、印字前の被印字テープ１０及び印字後の被印字テープ１０′の外観をそれぞれ示す。
【００２３】
図２（ａ）に示すように、印字前の被印字テープ１０は、剥離性を有する長尺の剥離材１１と、剥離材１１の一方側（図示上側）の表面に長手方向に沿って所定の小間隔で設けられた矩形のラベル台紙１２と、を備えている。
【００２４】
ラベル台紙１２は、裏面に設けられた適宜の粘着剤層により上記剥離材１１に剥離可能に接着されている。またラベル台紙１２は、切り取り線１３に沿って切り取り可能に設けられたラベル素材１４を備えている。
【００２５】
そして、図２（ｂ）に示す、印字後の被印字テープ１０′では、上記構成の被印字テープ１０の上記ラベル素材１４（詳細には後述の第１印刷面１６ａ及び第２印刷面１７ａに相当する部分）に対し、上記印字ヘッド７によって印字Ｒ１及び印字Ｒ２が印刷されることで、巻き付けラベル１００が生成されている。巻き付けラベル１００は、上記切り取り線１３に沿ってラベル台紙１２から切り取って剥離材１１から剥がすことができる。
【００２６】
＜巻き付けラベルの外観＞
上記のようにして生成された巻き付けラベル１００は、図３（ａ）に示すように、図示左右方向に延びる細長の矩形の巻き付け部１５と、巻き付け部１５の左右方向一端部（この例では右方端部）から図示左右方向に連接され、上記印字Ｒ１が印刷された第１印刷面１６ａを備えた第１ラベル部１６と、第１ラベル部１６から図示上下方向の一方側（この例では下方側）に連接され、上記印字Ｒ２が印刷された第２印刷面１７ａを備えた第２ラベル部１７と、を有する。第１ラベル部１６と第２ラベル部１７とは、左右方向に横長の同形の矩形状となっている。
【００２７】
印字Ｒ１において、文字列「ＡＢＣ」（第１印字オブジェクトに相当）が、第１印刷面１６ａの上下方向略中央部において、巻き付け部１５と反対側の右方端部に寄せて、正立した姿勢で左右方向に印刷されている。
【００２８】
印字Ｒ２において、文字列「ＸＹＺ」（第２印字オブジェクトに相当）が、第２印刷面１７ａの上下方向略中央部において、巻き付け部１５と反対側の右方端部に寄せて、１８０°回転した倒立した姿勢で左右方向に印刷されている。
【００２９】
そして、上記構成の巻き付けラベル１００は、使用時には、まず、図３（ｂ）に示すように、第２ラベル部１７を、印刷面１７ａが第１ラベル部１６の背面側で露出するように山折りの形（図３（ａ）に山折り部を一点鎖線で示す）で第１ラベル部１６側へと折り返され（白矢印参照）、折り返された第２ラベル部１７が第１ラベル部１６に対し（それらの裏面の粘着剤層により）貼り付けられる。
【００３０】
＜巻き付けラベルの使用形態＞
その後、上記図３（ｂ）のように折り返された巻き付けラベル１００は、図４（ａ）に示すように、図示上下方向を軸心方向とする円管状又はケーブル状の被着体２０（この例ではケーブル。以下適宜、単に「ケーブル２０」と称する）の周囲に巻き付け部１５の左右方向略中央部が位置するように巻き付けてから折り返される。次に、巻き付け部１５の裏面の接着剤層により、巻き付け部１５の折り返しによる重なり部分を互いに接着するとともに、巻き付け部１５のケーブル２０周囲の巻き付けた部分をケーブル２０の周囲に接着する。
【００３１】
以上により、ケーブル２０に巻き付けラベル１００が取り付けられ、重なり合った第１ラベル部１６と第２ラベル部１７とが巻き付け部１５から、図示左右方向に突出する（いわゆるＰ型ラベル）。図４（ａ）はケーブル２０に取り付けられた巻き付けラベル１００を正面側（第１ラベル部１６側）から見た外観を示している。図示のように、第１ラベル部１６において、第１印刷面１６ａに上記印字Ｒ１として文字列「ＡＢＣ」が、巻き付け部１５と反対側の端部（文字列「ＡＢＣ」の向きの後端部）に寄せた位置態様で正立姿勢で表記されている。
【００３２】
図４（ｂ）は、ケーブル２０に取り付けられた巻き付けラベル１００を背面側（第２ラベル部１７側）から見た外観を示している。図示のように、第２ラベル部１７において、第２印刷面１７ａに上記印字Ｒ２として文字列「ＸＹＺ」が、巻き付け部１５と反対側の端部（文字列「ＸＹＺ」の向きの前端部）に寄せた位置態様で正立姿勢で表記されている。
【００３３】
＜巻き付けラベル印刷時の固有の課題＞
上記のように、第１ラベル部１６、第２ラベル部１７、巻き付け部１５を備えた巻き付けラベル１００は、ケーブル２０等に上記巻き付け部１５を巻き付けることにより、立体的に使用されるものである。この巻き付けラベル１００の作成時には、前述の例に沿うと、第１ラベル部１６の第１印刷面１６ａに順方向に、印字Ｒ１として文字列「ＡＢＣ」が印刷され、第２ラベル１７の第２印刷面１７ａに逆方向に、印字Ｒ２として文字列「ＸＹＺ」が印刷される。そして、巻き付けラベル１００の使用時には、第２ラベル部１７を第２印刷面１７ａが表面に露出するように第１ラベル部１６側へ折り返して（裏面どうしを貼り合わせるようにしつつ）第２ラベル部１７を第１ラベル部１６に貼り付け、さらに巻き付け部１５を被着体２０の外周部に巻き付けて貼り付けて使用される。しかしながら、このように巻き付けラベル１００は、平面的に作成されたものを立体的に巻き付けて使用する特殊なラベルであることから、例えば作成時において、作成されるラベルの外観を上記表示部３０４（あるいは上記操作端末３００の表示部３０１）において単に平面的にプレビューするだけでは、ユーザにとって具体的なイメージが湧きにくく、不便である。
【００３４】
＜本実施形態の特徴＞
そこで、本実施形態においては、上記巻き付けラベル１００の作成の際に、ユーザが操作端末３００を用いて上記印字Ｒ１，Ｒ２の入力のための編集操作をするだけで、作成される巻き付けラベル１００が実際に使用されるときの姿が操作端末３００の表示部３０１に表示される。以下、その詳細を、前述の印字Ｒ１，Ｒ２を備えた巻き付けラベル１００を作成する場合を例に取り、順を追って説明する。
【００３５】
＜編集操作前の初期画面＞
図５に、上記巻き付けラベル１００の作成時に操作端末３００の操作部３０２を適宜に操作することで表示部３０１に表示される、初期画面３０１Ａを示す。図５に示すように、後述の編集操作の前に表示されるこの初期画面３０１Ａにおいて、画面右上部に配置される第１表示領域Ｐ１と、画面左上部に配置される第２表示領域Ｐ２と、画面中央下部に配置される第３表示領域Ｐ３と、が表示される。
【００３６】
第１表示領域Ｐ１には、上記第１ラベル部１６の外観イメージ（言い替えれば、例えば巻き付けラベル１００を表側から見た外観イメージ）が静止画像として正対表示される。第２表示領域Ｐ２には、上記第２ラベル部１７の外観イメージ（言い替えれば、例えば巻き付けラベル１００を裏側から見た外観イメージ）が静止画像として正対表示される。
【００３７】
第３表示領域Ｐ３には、前述のようにして上記第２ラベル部１７を第１ラベル部１６へ貼り付け、かつ上記巻き付け部１５を被着体１０に貼り付けた状態の、巻き付けラベル１００の使用時外観イメージが、３次元的アニメーション態様で表示される。この３次元的アニメーション態様の表示においては、上記巻き付けラベル１００（正確には当該巻き付けラベル１００の外観イメージ。以下同様）が被着体２０（正確には当該被着体２００の外観イメージ。以下同様）の軸心を回転中心にその廻りをぐるぐると回転（旋回）するように、表示される。但し、この図５のように編集開始前の段階においては、上記第１表示領域Ｐ１又は第２表示領域Ｐ２へのテキスト文字等の印字オブジェクトが未記入の状態で回転している。なお、後述の図６及び図７のように編集開始後であるが完全に完了する前の段階においては、各図に示すように上記印字オブジェクトが書きかけ（記入途中）の状態で回転する。
【００３８】
なお、上記の回転動作中においては、上記第１ラベル部１６が上・下順向きで正対する態様（第１使用時外観イメージに相当）となる第１回転位置（巻き付けラベル１００が第３表示領域Ｐ３中の右側に位置している状態。後述の図６も参照）と、上記第２ラベル部１７が上・下順向きで正対する態様（第２使用時外観イメージに相当）となる第２回転位置（巻き付けラベル１００が第３表示領域Ｐ３中の左側に位置している状態。後述の図７も参照）とを含むようにして（言い替えれば通過しつつ）、回転する（黒矢印参照）。
【００３９】
＜編集画面の例  その１＞
上記初期画面３０１Ａの表示後、上記操作部３０２の適宜の操作により表示部３０１に表示される編集画面の一例を図６に示す。この編集画面３０１Ｂでは、上記操作部３０２の操作によって、第１表示領域Ｐ１に表示された巻き付けラベル１００の第１ラベル部１６への印字内容の入力が開始された状態（文字「Ａ」が記入された状態）を示している。このようにユーザによって第１ラベル部１６への編集操作が開始されると、前述のようにして第３表示領域Ｐ３内において回転していた巻き付けラベル１００が、上記第１ラベル１６側を見せた状態（すなわち上記第１回転位置近傍）で略停止した表示となる。このとき、被着体２０の上下方向の軸心に対して巻き付けラベル１００が微妙に首を振るような表示でも良い。そして、上述のようにして第１ラベル部１６への編集が開始されると、その編集内容が、同じ編集画面３０１Ｂ中の上記第３表示領域Ｐ３の上記使用時外観イメージにもリアルタイムで反映される。図示の例では、第１表示領域Ｐ１に表示された巻き付けラベル１００の第１ラベル部１６へのユーザによる文字「Ａ」の入力に連動して、第３表示領域Ｐ３で上記停止表示されている巻き付けラベル１００の第１ラベル部１６にも同じ文字「Ａ」が自動的に記入されている。
【００４０】
＜編集画面の例  その２＞
図７には、上記のようにして、第１表示領域Ｐ１の第１ラベル部１６への編集操作（文字「ＡＢＣ」の入力）が完了した後、上記操作部３０２の操作によって第２表示領域Ｐ２に表示された巻き付けラベル１００の第２ラベル部１７への印字内容の入力が開始された状態（文字「Ｘ」が記入された状態）の編集画面３０１Ｃを示す。前述と同様、ユーザによって第２ラベル部１７への編集操作が開始されると、前述のように第３表示領域Ｐ３内において略停止して第１ラベル部１６側を見せていた巻き付けラベル１００が回転して向きを変え（図７中破線矢印参照）、上記第２ラベル１７側を見せた状態（すなわち上記第２回転位置近傍）で略停止した表示となる。このときも、上記同様、被着体２０の上下方向の軸心に対して巻き付けラベル１００が微妙に首を振るような表示でも良い。そして、上述のようにして第２ラベル部１７への編集が開始されると、その編集内容が、編集画面３０１Ｂ中の上記第３表示領域Ｐ３の上記使用時外観イメージにもリアルタイムで反映される。図示の例では、第２表示領域Ｐ２に表示された巻き付けラベル１００の第２ラベル部１７へのユーザによる文字「Ｘ」の入力に連動して、第３表示領域Ｐ３で上記停止表示されている巻き付けラベル１００の第２ラベル部１７にも同じ文字「Ｘ」が自動的に記入されている。
【００４１】
＜確定表示画面＞
図８に、以上のようにして、第１ラベル部１６に対する編集と第２ラベル部１７に対する編集が終了した後、上記操作部３０２を介し編集が終了した旨の適宜の確定操作がなされたときに、表示部３０１に表示される確定表示画面３０１Ｄの一例を示す。なお、第１ラベル部１６及び第２ラベル部１７の編集の先後順序はどちらがでもよい。あるいは一方のラベル部の編集途中で他方の編集に移行してもよい。いずれにしても最終的に両ラベル部１６，１７の編集が完了し上記確定操作がなされたときに、上記確定表示画面３０１Ｄに移行する。
【００４２】
図８に示す確定表示画面３０１Ｄにおいては、上述した第１表示領域Ｐ１における第１ラベル部１６への文字「ＡＢＣ」の入力と第２表示領域Ｐ２における第２ラベル部１７への文字「ＸＹＺ」の入力とが完了した結果、上記第３表示領域Ｐ３における巻き付けラベル１００の第１ラベル部１６及び第２ラベル部１７においてもそれぞれ同じ文字「ＡＢＣ」「ＸＹＺ」の自動記入がなされている。そして、前述のようにして停止していた巻き付けラベル１００が、再び回転を始めるアニメーション表示となる。
【００４３】
＜表示領域の消去＞
なお、図５〜図８に示すように、各画面３０１Ａ〜３０１Ｃにおいて（後述の各画面も同様）、第１表示領域Ｐ１、第２表示領域Ｐ２、第３表示領域Ｐ３の左上部には、領域消去ボタンＴが各表示されている。例えば、図８の確定表示画面３０１Ｄにおいて、操作部３０２の適宜の操作により第２表示領域Ｐ２の領域消去ボタンＴをクリックすると、当該第２表示領域Ｐ２の表示が消え、図９の確定表示画面３０１Ｅに示すように、第１表示領域Ｐ１と第３表示領域Ｐ３の画面だけが上下に表示された状態となる。
【００４４】
＜第１表示領域と第２表示領域のリンク＞
一方、本実施形態では、第１ラベル部１６へ入力する上記印字内容と第２ラベル部１７へ入力する上記内容とが全く同一である（言い替えれば巻き付けラベル１００の裏表を同一印字内容とする場合）に対応し、第１表示領域Ｐ１と第２表示領域Ｐ２とを互いにリンクさせる（自動的に内容を同一化する）機能も備えられている。
【００４５】
上記の機能を利用する場合は、例えば図１０の編集画面３０１Ｆに示すように第１表示領域Ｐ１の巻き付けラベル１００の第１ラベル部１６の編集操作（この例では文字「ＡＢＣ」の入力）を完了した後、図１１の編集画面３０１Ｇに示すように、第１表示領域Ｐ１と第２表示領域Ｐ２との間に設けたリンクスイッチＬＳ（図中の網線領域）を、上記操作部３０２の適宜の操作によりクリックして相互リンクモードとなる。これにより、上記第１ラベル部１６の編集内容が自動的に第２ラベル部１７の内容にも反映され、上記文字「ＡＢＣ」が自動記入される。またこれ以降も、第１ラベル部１６において何らかの編集操作を行うと、これに連動して同じ編集結果が第２ラベル部１７において実現される。なお、この相互リンクモードでは、上記とは逆に、第２表示領域Ｐ２の第２ラベル部１７における編集操作結果についても、第１表示領域Ｐ１に表示される第１ラベル部１６側に反映される（図示省略）。なお、上記リンクスイッチＬＳを再度クリックすることで、上記相互リンクモードはいつでも解消することができる。
【００４６】
＜操作端末が実行する処理手順＞
上記手法を実行するために、操作端末３００のＣＰＵ３０３が実行する制御手順を表すフローを、図１２に示す。なお、この例では、前述の相互リンクモードを用いない場合を例にとって説明する。図１２において、このフローは、例えば、操作端末３００の電源がオンされたことを契機に開始される。
【００４７】
まず、ステップＳ１０で、ＣＰＵ３０３は、表示部３０１に制御信号を出力し、の上記初期画面３０１Ａを表示し、当該初期画面３０１Ａ中において、前述の第１表示領域Ｐ１、第２表示領域Ｐ２、第３表示領域Ｐ３それぞれの表示を開始する（上記図５参照）。このとき、図５を用いて前述したように、第１表示領域Ｐ１にはこれから作成される巻き付けラベル１００に備えられる第１ラベル部１６の外観イメージが静止画像として正対表示される。また、第２表示領域Ｐ２には、上記巻き付けラベル１００に備えられる第２ラベル部１７の外観イメージが静止画像として正対表示される。さらに、第３表示領域Ｐ３には、巻き付けラベル１００の前述の使用時外観イメージが３次元的アニメーション態様で表示される。この時点では、上記図５を用いて前述したように、第１表示領域Ｐ１の第１ラベル部１６及び第２表示領域Ｐ２の第２ラベル部に何も入力されておらず、第３表示領域Ｐ３に示される巻き付けラベル１００は表裏無記入のままの状態で回転している。
【００４８】
その後、ステップＳ１５で、ＣＰＵ３０３は、操作部３０２を介した適宜の操作により、第１表示領域Ｐ１中の上記第１ラベル部１６への編集操作（文字入力、文字消去、改行、修飾、書式設定等）が開始されたか否かを判定する。編集が開始されなければステップＳ１５の判定が満たされず（Ｓ１５：ＮＯ）、この判定が満たされるまでループ待機する。編集が開始されたらステップＳ１５の判定が満たされて（Ｓ１５：ＹＥＳ）、ステップＳ２０に移る。
【００４９】
ステップＳ２０では、ＣＰＵ３０３は、表示部３０１に制御信号を出力し、上記ステップＳ１０において第３表示領域Ｐ３中で回転していた巻き付けラベル１００を、第１ラベル部１６側を見せた状態で静止させる（前述の図６参照）。その後、ステップＳ２５に移る。
【００５０】
ステップＳ２５では、ＣＰＵ３０３は、上記ステップＳ１５で開始された上記第１ラベル部１６への編集操作を受け付ける。
【００５１】
その後、ステップＳ３０で、ＣＰＵ３０３は、上記ステップＳ２５で受け付けた第１表示領域Ｐ１中の第１ラベル部１６への編集結果を、第３表示領域Ｐ３に静止状態で表示されている上記巻き付けラベル１００に備えられた第１ラベル部１６の外観イメージに反映する。その後、ステップＳ３５に移る。
【００５２】
ステップＳ３５では、ＣＰＵ３０３は、上記ステップＳ１５で開始された上記第１ラベル部１６への編集操作が終了したか否かを判定する。具体的には、操作部３０２において編集操作完了の旨の適宜の入力操作があったか否かが判定される。編集が終了していなければステップＳ３５の判定が満たされず（Ｓ３５：ＮＯ）、ステップＳ２５に戻って同様の手順を繰り返す。編集が終了したらステップＳ３５の判定が満たされて（Ｓ３５：ＹＥＳ）、ステップＳ４０に移る。
【００５３】
ステップＳ４０では、ＣＰＵ３０３は、操作部３０２を介した適宜の操作により、第２表示領域Ｐ２中の上記第２ラベル部１７への編集操作（文字入力、文字消去、改行、修飾、書式設定等）が開始されたか否かを判定する。編集が開始されなければステップＳ４０の判定が満たされず（Ｓ４０：ＮＯ）、この判定が満たされるまでループ待機する。編集が開始されたらステップＳ４０の判定が満たされて（Ｓ４０：ＹＥＳ）、ステップＳ４５に移る。
【００５４】
ステップＳ４５では、ＣＰＵ３０３は、表示部３０１に制御信号を出力し、上記ステップＳ２０において第１ラベル部１６を見せた状態で静止していた巻き付けラベル１００を１８０°回転させ、第２ラベル部１７側を見せた状態で静止させる（前述の図７参照）。その後、ステップＳ５０に移る。
【００５５】
ステップＳ５０では、ＣＰＵ３０３は、上記ステップＳ４０で開始された上記第２ラベル部１７への編集操作を受け付ける。
【００５６】
その後、ステップＳ５５で、ＣＰＵ３０３は、上記ステップＳ５０で受け付けた第２表示領域Ｐ２中の第２ラベル部１７への編集結果を、第３表示領域Ｐ３に静止状態で表示されている上記巻き付けラベル１００に備えられた第２ラベル部１７の外観イメージに反映する。その後、ステップＳ６０に移る。
【００５７】
ステップＳ６０では、ＣＰＵ３０３は、上記ステップＳ５０で開始された上記第２ラベル部１７への編集操作が終了したか否かを判定する。具体的には、操作部３０２において編集操作完了の旨の適宜の入力操作があったか否かが判定される。編集が終了していなければステップＳ６０の判定が満たされず（Ｓ６０：ＮＯ）、ステップＳ５０に戻って同様の手順を繰り返す。編集が終了したらステップＳ６０の判定が満たされて（Ｓ６０：ＹＥＳ）、ステップＳ６５に移る。
【００５８】
ステップＳ６５では、ＣＰＵ３０３は、表示部３０１に制御信号を出力し、上記ステップＳ４５において第２ラベル部１６側を見せた状態で静止していた巻き付けラベル１００を、第３表示領域Ｐ３中において再度回転開始させる（前述の図８参照）。その後、ステップＳ７０に移る。
【００５９】
ステップＳ７０では、ＣＰＵ３０３は、操作部３０２を介した適宜の操作により、上記ステップＳ６０までの全操作で生成された、巻き付けラベル１００作成のための印字データを、上記ラベル作成装置１へ送信する指示があったか否かを判定する。送信指示がなければステップＳ７０の判定が満たされず（Ｓ７０：ＮＯ）、この判定が満たされるまでループ待機する。送信指示があったらステップＳ７０の判定が満たされて（Ｓ７０：ＹＥＳ）、ステップＳ７５に移る。
【００６０】
ステップＳ７５では、ＣＰＵ３０３は、上記巻き付けラベル１００作成のための印字データを、上記通信制御部３０６を介しラベル作成装置１へと送信する。
【００６１】
なお、以上において、ステップＳ１０、ステップＳ２０、ステップＳ４５、が各請求項記載の表示手順に相当し、ステップＳ２５、ステップＳ５０が、各請求項記載の編集受け付け手順に相当し、ステップＳ３０、ステップＳ５５が、各請求項記載の編集反映手順に相当する。
【００６２】
＜ラベル作成装置が実行する制御手順＞
次に、上記操作端末３００での処理に対応して、ラベル作成装置１の制御回路２（詳細にはＣＰＵ。以下同様）が実行する制御手順を、図１３のフローにより説明する。図１３において、このフローは、例えば、ラベル作成装置１の電源がオンされることを契機に開始される。
【００６３】
まず、ステップＳ１００において、制御回路２は、上記ズ１２のステップＳ７５において操作端末３００から送信された、巻き付けラベル１００作成のための上記印字データを受信する。
【００６４】
その後、ステップＳ１１０において、制御回路２は、搬送ローラ６に制御信号を出力し、テープロール１０Ａからの被印字テープ１０の繰り出し、すなわち被印字テープ１０の搬送を開始させる。
【００６５】
その後、ステップＳ１２０で、制御回路２は、被印字テープ１０が所定量だけ搬送されたかどうかを判定する。なお、この所定量とは、例えば、被印字テープ１０の図示しない印字領域の先端が、印字ヘッド７とほぼ対向する位置に到達するだけの搬送距離である。所定量搬送されるまでステップＳ１２０の判定が満たされず（Ｓ１２０：ＮＯ）、ループ待機する。被印字テープ１０が所定量搬送されたらステップＳ１２０の判定が満たされて（Ｓ１２０：ＹＥＳ）、ステップＳ１３０に移る。
【００６６】
ステップＳ１３０では、制御回路２は、印字ヘッド７に制御信号を出力し、搬送ローラ６により搬送される被印字テープ１０の印字領域（詳細には上記ラベル素材１４上の上記第１印刷面１６ａ及び第２印刷面１７ａに相当する部分）に対し、上記ステップＳ１００で受信された、巻き付けラベル１００作成用の印字データに基づく印字形成（図２（ｂ）、図３（ａ）、図３（ｂ）、図４（ａ）、図４（ｂ）の印字Ｒ１，Ｒ２参照）を開始する。
【００６７】
その後、ステップＳ１４０で、制御回路２は、上記ステップＳ１３０で開始した印字ヘッド７による被印字テープ１０の上記印字領域への上記印字データの印字がすべて完了しているかどうかを判定する。印字がすべて完了するまでステップＳ１４０の判定が満たされず（Ｓ１４０：ＮＯ）、ループ待機し、印字がすべて完了したらステップＳ１４０の判定が満たされて（Ｓ１４０：ＹＥＳ）、ステップＳ１５０に移る。
【００６８】
ステップＳ１５０では、制御回路２は、被印字テープ１０がさらに所定量（例えば巻き付けラベル１００の搬送方向上流側端部が上記カッタ９に対向するまでの搬送距離）だけ搬送されたかどうかを判定する。所定量搬送されるまでステップＳ１５０の判定が満たされず（Ｓ１５０：ＮＯ）、ループ待機し、所定量搬送されたらステップＳ１５０の判定が満たされて（Ｓ１５０：ＹＥＳ）、ステップＳ１６０に移る。
【００６９】
ステップＳ１６０では、制御回路２は、搬送ローラ６に制御信号を出力し、ステップＳ１１０で開始させたテープロール１０Ａからの被印字テープ１０の繰り出し、すなわち被印字テープ１０の搬送を停止させる。
【００７０】
そして、ステップＳ１７０で、制御回路２は、表示部４に制御信号を出力し、カットレバー８を操作することにより上記印字形成後の被印字テープ１０′を切断可能な状態である旨の表示を行わせる。その後、このフローに示す処理を終了する。上記表示に応じてユーザがカットレバー８を操作すると、カッタ９が作動して印字後の被印字テープ１０′が切断される。この切断によって、適宜の長さの被印字テープ１０′が切り離され、その切り離された部分において上記剥離材１１から所望枚数の巻き付けラベル１００を引き剥がすことができる（但しカッタ９切断が行われない状態であっても、上記巻き付けラベル１００の引き剥がしは可能である）。
【００７１】
＜実施形態の効果＞
以上説明したように、本実施形態においては、表示部３０１に巻き付けラベル１００の使用時外観イメージが３次元的に表示されると共に、ユーザが操作部３０２において編集操作を行うと、その編集結果が当該表示された巻き付けラベル１００の使用時外観イメージに、その都度反映される。これにより、ユーザ（操作者）は、表示部３０１の各編集画面（上記画面３０１Ｂ，３０１Ｃ，３０１Ｄ等参照）において第１表示領域Ｐ１の第１ラベル部１６又は第２表示領域Ｐ２の第２ラベル部１７への編集操作を行うだけで、その編集に基づき作成される巻き付けラベル１００が実際に使用されるときの姿を第３表示領域Ｐ３において視覚的に容易に認識することができる。この結果、ユーザにとっての利便性を向上することができる。
【００７２】
また、本実施形態では特に、相互リンクモードとすると、ユーザが第１表示領域Ｐ１に表示された第１ラベル部１６の第１印刷面１６ａ側の内容を編集するだけで、自動的に第２表示領域Ｐ２に表示された第２ラベル部１７の第２印刷面１７ａ側の内容にも反映される。同様に、ユーザが第２表示領域Ｐ２に表示された第２ラベル部１７の第２印刷面１７ａ側の内容を編集するだけで、自動的に第１表示領域Ｐ１に表示された第１ラベル部１６の第１印刷面１６ａ側の内容にも反映される。これにより、それら２つのラベル部１６，１７それぞれを個別に編集する場合に比べて操作労力を半減することができ、これによっても利便性を向上できる。
【００７３】
また、本実施形態では特に、第３表示領域Ｐ３において、被着体２０のまわりでぐるぐると回転する巻き付けラベル１００が３次元的に表示される。これにより、ユーザは、その回転する状態の中で、（例えば使用時正面側となる）第１ラベル部１６の使用時外観イメージと、（例えば使用時裏面側となる）第２ラベル部１７の使用時外観イメージとを、連続的に視覚的に対比させることができる。
【００７４】
また、本実施形態では特に、ユーザが第１ラベル部１６に対する編集操作を行うときにおいては、表示されている巻き付けラベル１００が当該第１ラベル部１６を見せる状態で略静止する（図６参照）。これにより、ユーザは、編集操作後の第１ラベル部１６の第１印刷面１６ａの姿を落ち着いて確実に視認することができる。
【００７５】
また、本実施形態では特に、ユーザが第２ラベル部１７に対する編集操作を行うときにおいては、表示されている巻き付けラベル１００が当該第２ラベル部１７を見せる状態で略静止する（図７参照）。これにより、ユーザは、編集操作後の第２ラベル部１７の第２印刷面１７ａの姿を落ち着いて確実に視認することができる。
【００７６】
また、本実施形態では特に、ユーザによる第１ラベル部１６及び第２ラベル部１７への編集が終了し確定した時に、略停止していた巻き付けラベル１００の回転が再開される（図８参照）。これにより、ユーザは、その回転する状態の中で、上記編集操作により変更された第１ラベル部１６及び第２ラベル部１７の姿を、連続的に視覚的に対比させることができる。
【００７７】
なお、本発明は、上記実施形態に限られるものではなく、その趣旨及び技術的思想を逸脱しない範囲内で種々の変形が可能である。以下、そのような変形例を順を追って説明する。上記実施形態と同等の部分には同一の符号を付し、適宜、説明を省略又は簡略化する。
【００７８】
（１）静止画の切り替え表示とする場合
上記実施形態においては、第３表示領域Ｐ３において、巻き付けラベル１００が回転するアニメーション表示を行ったが、これに限られない。すなわち、第３表示領域Ｐ３において、上記第１ラベル部１６が正対する態様の使用時外観イメージ（第１使用時外観イメージに相当）の静止画像と、上記第２ラベル部１７が正対する態様の使用時外観イメージ（第２使用時外観イメージに相当）の静止画像と、を略同一部位において周期的に切り替え表示してもよい。
【００７９】
この場合、ユーザは、（例えば使用時正面側となる）第１ラベル部１６の上記第１使用時外観イメージの静止画像と、（例えば使用時裏面側となる）第２ラベル部１７の上記第２使用時外観イメージの静止画像とを、切り替えつつ、視覚的に対比させることができる。
【００８０】
（２）静止画の一覧表示とする場合
すなわち、第３表示領域Ｐ３において、上記第１ラベル部１６が正対する態様の使用時外観イメージ（第１使用時外観イメージに相当）の静止画像と、上記第２ラベル部１７が正対する態様の使用時外観イメージ（第２使用時外観イメージに相当）の静止画像と、を一覧可能に表示してもよい。
【００８１】
この場合、ユーザは、（例えば使用時正面側となる）第１ラベル部１６の上記第１使用時外観イメージの静止画像と、（例えば使用時裏面側となる）第２ラベル部１７の上記第２使用時外観イメージの静止画像とを、一覧して視覚的に対比させることができる。
【００８２】
（３）４画面表示を行う場合
本変形例においては、図１４の確定表示画面３０１Ｉに示すように、上記第１表示領域Ｐ１、第２表示領域Ｐ３、第３表示領域Ｐ３に加え、さらに第４表示領域Ｐ４が表示される。
【００８３】
新たに画面右下部に加わる上記第４表示領域Ｐ４では、前述したように文字「ＡＢＣ」が第１印刷面１６ａに印刷される上記第１ラベル部１６と、文字「ＸＹＺ」が第２印刷面１７ａに印刷される上記第２ラベル部１７と、巻き付け部１５とが、巻き付けや貼り付けが行われる前の未使用展開状態で表示される。そして、上記第１表示領域Ｐ１、第２表示領域Ｐ２、第３表示領域Ｐ３とともに当該第４表示領域Ｐ４が表示された状態で、第１表示領域Ｐ１又は第２表示領域Ｐ２に対する上記編集操作が受け付けられると、その受け付けられた編集操作結果が、上記第１表示領域Ｐ１、第２表示領域Ｐ２、第３表示領域Ｐ３とともに当該第４表示領域Ｐ４の表示内容にも反映させる。
【００８４】
本変形例によれば、ユーザは、上述のように被着体２０に貼り付けられる前の平面的な展開状態での巻き付けラベル１００の姿を、第４表示領域Ｐ４で視覚的に確認することができる。この結果、さらに利便性を向上できる。
【００８５】
（４）使用時外観イメージでのケーブル径の切り替え操作を行う場合
本変形例においては、前述の第３表示領域Ｐ３に巻き付けラベル１００の使用時外観イメージが表示された状態で、当該第３表示領域Ｐ３中の被着体２０の径寸法を変更する手動操作が可能となっている。すなわち、図１５に示すように、ユーザが第３表示領域Ｐ３にイメージ表示されている被着体２０の側面部位にポインタＨを合わせて（上記表示部３０１がタッチパネルである場合には、直接ユーザの指で触れてもよい）、水平方向にドラッグすることで、第３表示領域Ｐ３に表示される当該被着体２０の径寸法を増減させることができる。図示の例では、図１５（ａ）→図１５（ｂ）→図１５（ｃ）のようにポインタＨを左側へと順次ドラッグすることで、イメージ表示されている被着体２０の径寸法を大きくすることができる（言い替えれば互いに径寸法が異なる複数種類の被着体２０が切り替えつつ表示される）。
【００８６】
さらに、本変形例では、上記のように順次変化する被着体２０の径寸法に応じて、第３表示領域Ｐ３に、当該ケーブル径に対応した典型的な使用例のポップアップ表示が可能となっている。
【００８７】
例えば図１５（ａ）には、上記ドラッグ操作により、実際の被着体２０の径寸法約１．０ｍｍ〜２．０ｍｍに相当するイメージ表示となった場合を示している。この場合、当該径寸法となるケーブルの典型的な例を表す、充電ケーブルのポップアップ表示Ｄ１がなされている。
【００８８】
また、図１５（ｂ）には、上記ドラッグ操作により、実際の被着体２０の径寸法約３．５ｍｍ〜５．５ｍｍに相当するイメージ表示となった場合を示している。この場合、当該径寸法となるケーブルの典型的な例を表す、ＬＡＮケーブルのポップアップ表示Ｄ２がなされている。
【００８９】
さらに、図１５（ｃ）には、上記ドラッグ操作により、実際の被着体２０の径寸法約８ｍｍ〜１０ｍｍに相当するイメージ表示となった場合を示している。この場合、当該径寸法となるケーブルの典型的な例を表す、電源ケーブルのポップアップ表示Ｄ３がなされている。
【００９０】
なお、上記ドラッグ操作により、被着体２０の径寸法が、通常の巻き付けラベル１００では巻き付け不可となる値になった場合には、上記ポップアップ表示に代えて所定の警告表示がなされる。
【００９１】
なお、以上において、ＣＰＵ３０３が上記のようにしてドラッグ操作を受け付けることが各請求項記載の変更操作受付手順に相当し、その後表示部３０１に制御信号を出力して被着体２０の径寸法を変化させつつ表示させることが各請求項記載の変更反映手順に相当している。
【００９２】
本変形例によれば、太い被着体２０に巻き付けラベル１００を貼り付けたときの姿や、細い被着体２０に巻き付けラベル１００を貼り付けたときの姿を、ユーザが視覚的に認識することができ、さらに利便性を向上できる。また、ユーザの操作により上記のように被着体２０の径寸法が種々変化するとき、各寸法において典型的に使用される被着体２０の種類の例をユーザに明示したり、リコメンドすることができる。
【００９３】
（５）Ｔ型ラベルへの適用
以上においては、図３及び図４を用いて前述したように、巻き付けラベル１００として、使用時において軸心を上下方向とする被着体２０（ケーブル）に取り付けた際、第１ラベル部１６及び第２ラベル部１７が左右方向に突出し、かつ文字列方向も左右方向となる、Ｐ型ラベル（図４等参照）である場合を例にとって説明したが、これに限られない。すなわち、軸心方向を左右方向とする被着体４０に取り付けた際、第１ラベル部１６及び第２ラベル部１７が上下方向に突出し、文字列方向が左右方向となる、いわゆるＴ型ラベルに対し本発明を適用しても良い。そのような変形例を図１６〜図１７により説明する。
【００９４】
＜巻き付けラベルの外観＞
本変形例の巻き付けラベル２００は、図１６（ａ）に示すように、図示上下方向に延びる細長の矩形の巻き付け部２５と、巻き付け部２５の上下方向一端部（この例では上端部）から図示上下方向に連接され、印字Ｒ１が印刷された第１印刷面２６ａを備えた第１ラベル部２６と、第１ラベル部２６から図示上下方向の一方側（この例では上方側）に連接され、印字Ｒ２が印刷された第２印刷面２７ａを備えた第２ラベル部２７と、を有する。第１ラベル部２６と第２ラベル部２７とは、左右方向に横長の同形の矩形状となっている。
【００９５】
印字Ｒ１において、文字列「ＡＢＣＤＥ」（第１印字オブジェクトに相当）が、第１印刷面２６ａの左右方向略中央部において、巻き付け部２５の側の下方端部に寄せて、正立した姿勢で左右方向に印刷されている。
【００９６】
印字Ｒ２において、文字列「ＸＹＺ」（第２印字オブジェクトに相当）が、第２印刷面１７ａの左右方向略中央部において、巻き付け部２５と反対側の上方端部に寄せて、１８０°回転した倒立した姿勢で左右方向に印刷されている。
【００９７】
そして、上記構成の巻き付けラベル２００は、使用時には、まず、図１６（ｂ）に示すように、第２ラベル部２７を、印刷面２７ａが第１ラベル部２６の背面側で露出するように山折りの形（図１６（ａ）に山折り部を一点鎖線で示す）第１ラベル部２６側へと折り返し、折り返された第２ラベル部２７が第１ラベル部２６に対し（それらの裏面の粘着剤層により）貼り付けられる。
【００９８】
＜巻き付けラベルの使用形態＞
その後、上記図１６（ｂ）のように折り返された巻き付けラベル２００は、図１７（ａ）に示すように、図示左右方向を軸心方向とする円環状又はケーブル状の被着体４０（この例ではケーブル。以下適宜、単に「ケーブル４０」と称する）の周囲に巻き付け部２５の上下方向略中央部が位置するように巻き付けてから折り返される。次に、巻き付け部２５の裏面の接着剤層により、巻き付け部２５の折り返しによる重なり部分を互いに接着するとともに、巻き付け部２５のケーブル４０周囲の巻き付けた部分をケーブル４０の周囲に接着する。
【００９９】
以上により、ケーブル４０に巻き付けラベル２００が取り付けられ、重なり合った第１ラベル部２６と第２ラベル部２７とが巻き付け部２５から、図示上下方向に突出する（いわゆるＴ型ラベル）。図１７（ａ）はケーブル４０に取り付けられた巻き付けラベル２００を正面側（第１ラベル部２６側）から見た外観を示している。図示のように、第１ラベル部２６において、第１印刷面２６ａに文字列「ＡＢＣＤＥ」が、巻き付け部２５の側の端部に寄せた位置態様で正立姿勢で表記されている。
【０１００】
図１７（ｂ）は、ケーブル４０に取り付けられた巻き付けラベル２００を背面側（第２ラベル部２７側）から見た外観を示している。図示のように、第２ラベル部２７において、第２印刷面２７ａに文字列「ＸＹＺ」が、巻き付け部２５の側の端部に寄せた位置態様で正立姿勢で表記されている。
【０１０１】
本変形例では、上記のようなＴ型ラベルでる巻き付けラベル２００の作成時に、上記実施形態と同様の手法により、使用時外観イメージ表示の表示が行われる。図１８に、本変形例の表示部３０１において表示される、上記実施形態の図８に対応した確定表示画面３０１Ｈの例を示す。
【０１０２】
図示の確定表示画面３０１Ｈでは、前述したのと同様、上記操作部３０２の操作によって、第１表示領域Ｐ１に表示された巻き付けラベル２００の第１ラベル部２６への印字内容の入力が終了（文字「ＡＢＣ」が記入）するとともに、第２表示領域Ｐ２に表示された巻き付けラベル２００の第２ラベル部７６への印字内容の入力が終了（文字「ＸＹＺ」が記入）している。そして、その結果、第３表示領域Ｐ３において、第１ラベル部２６及び第２ラベル部２７においてそれぞれ同じ文字「ＡＢＣ」「ＸＹＺ」が自動記入されたた巻き付けラベル２００が、被着体４０の軸心を回転中心にその廻りをぐるぐると回転（旋回）するように、表示されるアニメーション表示となっている。
【０１０３】
なお、上記の回転動作中においては、上記第１ラベル部２６が上・下順向きで正対する態様（第１使用時外観イメージに相当）となる第１回転位置（巻き付けラベル２００が第３表示領域Ｐ３中の上側に位置している状態）と、上記第２ラベル部２７が上・下逆向きで正対する態様（第２使用時外観イメージに相当）となる第２回転位置（巻き付けラベル２００が第３表示領域Ｐ３中の下側に位置している状態）とを含むようにして（言い替えれば通過しつつ）、回転する（黒矢印参照）。
【０１０４】
Ｔ型ラベルである巻き付けラベル２００を作成する本変形例においても、上記実施形態と同様の効果を得る。
【０１０５】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１０６】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１０７】
但し、例えばしきい値や基準値等、所定の判定基準となる値あるいは区切りとなる値の記載がある場合は、それらに対しての「同一」「等しい」「異なる」等は、上記とは異なり、厳密な意味である。
【０１０８】
なお、以上において、図１中に示す矢印は信号の流れの一例を示すものであり、信号の流れ方向を限定するものではない。
【０１０９】
また、図１２、図１３に示すフローチャートは本発明を上記フローに示す手順に限定するものではなく、発明の趣旨及び技術的思想を逸脱しない範囲内で手順の追加・削除又は順番の変更等をしてもよい。
【０１１０】
また、以上既に述べた以外にも、上記実施形態や各変形例による手法を適宜組み合わせて利用しても良い。
【０１１１】
その他、一々例示はしないが、本発明は、その趣旨を逸脱しない範囲内において、種々の変更が加えられて実施されるものである。
【符号の説明】
【０１１２】
１              ラベル作成装置（作成装置）
１５            巻き付け部
１６            第１ラベル部
１６ａ          第１印刷面
１７            第２ラベル部
１７ａ          第２印刷面
２０            被着体
２５            巻き付け部
２６            第１ラベル部
２６ａ          第１印刷面
２７            第２ラベル部
２７ａ          第２印刷面
４０            ケーブル（被着体）
１００          巻き付けラベル
２００          巻き付けラベル
３００          操作端末
３０３          ＣＰＵ（演算手段）
Ｐ１            第１表示領域
Ｐ２            第２表示領域
Ｐ３            第３表示領域
Ｐ４            第４表示領域
Ｒ１            第１印字（第１印字オブジェクト）
Ｒ２            第２印字（第２印字オブジェクト）
【図１】
0006269977.tif 000002
【図２】
0006269977.tif 000003
【図３】
0006269977.tif 000004
【図４】
0006269977.tif 000005
【図５】
0006269977.tif 000006
【図６】
0006269977.tif 000007
【図７】
0006269977.tif 000008
【図８】
0006269977.tif 000009
【図９】
0006269977.tif 000010
【図１０】
0006269977.tif 000011
【図１１】
0006269977.tif 000012
【図１２】
0006269977.tif 000013
【図１３】
0006269977.tif 000014
【図１４】
0006269977.tif 000015
【図１５】
0006269977.tif 000016
【図１６】
0006269977.tif 000017
【図１７】
0006269977.tif 000018
【図１８】
0006269977.tif 000019